(57)【要約】【課題】複数個の箱を迅速に纏めて容易に持ち運べる集積運搬帯を提供する。【解決手段】一対の帯板１，２を長さ方向に並設し、その両端部が中折線３を介して繋がり、中間部が切り離されたものとし、一方の帯板１に他方の帯板２との切離部分の端部から幅方向に延びる谷折線４を入れると共に、両方の帯板１，２に谷折線４より端縁から離れて幅方向に延びる山折線５を入れ、一方の帯板１の谷折線４より端側を折重部６とし、一方の帯板１の谷折線４と山折線５に挟まれた部分及び他方の帯板２の端縁から山折線５に至る部分をそれぞれ側受部７，８とし、両方の帯板１，２のそれぞれの山折線５に挟まれた部分を平受部９とし、折重部６及び側受部７，８に取手穴１０を設け、中折線３に沿って一方の帯板１の折重部６が他方の帯板２の側受部８の裏面に重なるように折り曲げ、集積した箱を包囲するように谷折線４及び山折線５に沿って角環状に折り曲げる。【選択図】図４]
2015140185.tif 000002
【特許請求の範囲】
【請求項１】
一対の帯板(1,2)を長さ方向に並設し、その両端部が中折線(3)を介して繋がり、中間部が切り離されたものとし、一方の帯板(1)に他方の帯板(2)との切離部分の端部から幅方向に延びる谷折線(4)を入れると共に、両方の帯板(1,2)に谷折線(4)より端縁から離れて幅方向に延びる山折線(5)を入れ、
前記一方の帯板(1)の谷折線(4)より端側を折重部(6)とし、一方の帯板(1)の谷折線(4)と山折線(5)に挟まれた部分及び他方の帯板(2)の端縁から山折線(5)に至る部分をそれぞれ側受部(7,8)とし、両方の帯板(1,2)のそれぞれの山折線(5)に挟まれた部分を平受部(9)とし、一方の帯板(1)の折重部(6)及び側受部(7)と他方の帯板(2)の側受部(8)にそれぞれ取手穴(10)を設け、
前記中折線(3)に沿って一方の帯板(1)の折重部(6)が他方の帯板(2)の側受部(8)の裏面に重なるように折り曲げ、一方の帯板(1)を上方とし、他方の帯板(2)を下方として、集積した箱を側受部(7,8)及び平受部(9)で包囲するように谷折線(4)及び山折線(5)に沿って角環状に折り曲げ、一方の帯板(1)の折重部(6)及び側受部(7)と他方の帯板(2)の側受部(8)とが重なり合い、これらの取手穴(10)が一致するようにした箱の集積運搬帯。
【請求項２】
前記取手穴(10)の内部に把持片(11)をヒンジとなる折目線(12)を介して設け、一方の帯板(1)の折重部(6)及び側受部(7)と他方の帯板(2)の側受部(8)の取手穴(10)が一致した状態で、取手穴(10)から把持片(11)を内側へ押し込むと、一方の帯板(1)の折重部(6)及び側受部(7)と他方の帯板(2)の側受部(8)とが重なり合った状態で固定されるようにしたことを特徴とする請求項１に記載の箱の集積運搬帯。
【発明の詳細な説明】
【技術分野】
【０００１】
紙等のシート材を用いて、複数個の箱を纏めた状態で持ち運べるように保持する集積運搬帯に関するものである。
【背景技術】
【０００２】
従来、下記特許文献１には、図５及び図６に示すように、重量物を収納した段ボール箱Ｂ２を複数個連結して持ち運べるようにする集積運搬帯５１が記載されている。
【０００３】
この集積運搬帯５１は、帯状の厚紙から成り、折目線を境界として、長さ方向の両端部に、取手部５２及び側貼部５３を端縁から順次設けると共に、側貼部５３に挟まれた部分に平貼部５４を設け、また、取手部５２に取手穴５５を設け、平貼部５４に紙箱の境界に対応してカットテープ５６を取り付けたものとされている。
【０００４】
このような集積運搬帯５１により複数個の段ボール箱Ｂ２を纏めて運搬する際には、段ボール箱Ｂ２を一列に集積して、段ボール箱Ｂ２同士を隣接面下部の線状の糊付部５７で容易に引き離せるように軽く貼り合わせ、配列された段ボール箱Ｂ２の上面に跨って平貼部５４を貼り付け、側貼部５３を両端の段ボール箱Ｂ２の外側面に貼り付ける。そして、この状態で段ボール箱Ｂ２を天地反転させ、取手穴５５に手を掛けて持ち上げる。
【０００５】
また、段ボール箱Ｂ２ごとに分離する際には、カットテープ５６を引っ張って集積運搬帯５１を切り裂き、段ボール箱Ｂ２同士を引き離す。
【先行技術文献】
【特許文献】
【０００６】
【特許文献１】実開昭６３−１５６９１６号公報
【発明の概要】
【発明が解決しようとする課題】
【０００７】
しかしながら、上記のような集積運搬帯では、箱の運搬準備をする際、接着剤を使用した貼付作業に手間がかかるほか、集積した箱の天地反転に大きな力を要し、小売店からの商品の持ち帰りのような用途に適さないという問題がある。
【０００８】
そこで、この発明は、複数個の箱を迅速に纏めて容易に持ち運べる集積運搬帯を提供することを課題とする。
【課題を解決するための手段】
【０００９】
上記課題を解決するため、この発明は、一対の帯板を長さ方向に並設し、その両端部が中折線を介して繋がり、中間部が切り離されたものとし、一方の帯板に他方の帯板との切離部分の端部から幅方向に延びる谷折線を入れると共に、両方の帯板に谷折線より端縁から離れて幅方向に延びる山折線を入れ、前記一方の帯板の谷折線より端側を折重部とし、一方の帯板の谷折線と山折線に挟まれた部分及び他方の帯板の端縁から山折線に至る部分をそれぞれ側受部とし、両方の帯板のそれぞれの山折線に挟まれた部分を平受部とし、一方の帯板の折重部及び側受部と他方の帯板の側受部にそれぞれ取手穴を設け、前記中折線に沿って一方の帯板の折重部が他方の帯板の側受部の裏面に重なるように折り曲げ、一方の帯板を上方とし、他方の帯板を下方として、集積した箱を側受部及び平受部で包囲するように谷折線及び山折線に沿って角環状に折り曲げ、一方の帯板の折重部及び側受部と他方の帯板の側受部とが重なり合い、これらの取手穴が一致するようにしたのである。
【００１０】
また、前記取手穴の内部に把持片をヒンジとなる折目線を介して設け、一方の帯板の折重部及び側受部と他方の帯板の側受部の取手穴が一致した状態で、取手穴から把持片を内側へ押し込むと、一方の帯板の折重部及び側受部と他方の帯板の側受部とが重なり合った状態で固定されるようにしたのである。
【発明の効果】
【００１１】
この発明に係る集積運搬帯では、一対の帯板を中折線、谷折線及び山折線に沿って角環状に折り曲げ、箱を順次積み重ねるように一対の帯板の間に挿入するだけで、迅速に運搬準備が完了し、その状態で取手穴に手を掛け、集積した箱を持ち上げて、容易に運搬することができる。
【００１２】
また、取手穴を有する折重部と側受部とが三重構造をなすように重なり合うので、取手穴の周縁部が破れにくく、重量物の運搬に対応することができる。
【図面の簡単な説明】
【００１３】
【図１】この発明の実施形態に係る集積運搬帯のブランクを示す図
【図２】同上の組立過程を示す斜視図
【図３】同上の組立過程を示す斜視図
【図４】同上の使用状態を示す斜視図
【図５】従来の集積運搬帯の集積した箱への貼付過程を示す斜視図
【図６】同上の貼付状態を示す斜視図
【発明を実施するための形態】
【００１４】
以下、この発明の実施形態を添付図面に基づいて説明する。
【００１５】
この集積運搬帯は、ビール等の飲料缶を収納したラップラウンド式の段ボール箱Ｂ１を纏めて運搬するためのものであり、板紙を材料として形成される。
【００１６】
図１に示すように、この集積運搬帯のブランクでは、外形寸法が同一で長方形状の一対の帯板１，２が長さ方向に並べて設けられ、その両端部が中折線３を介して繋がれ、中間部が切目線により切り離されている。
【００１７】
一方の帯板１には、他方の帯板２との切離部分の端部から幅方向に延びる谷折線４が入れられ、両方の帯板１，２には、谷折線４より端縁から離れて幅方向に延びる山折線５が入れられている。
【００１８】
帯板１の谷折線４より端側は折重部６とされ、一方の帯板１の谷折線４と山折線５に挟まれた部分及び他方の帯板２の端縁から山折線５に至る部分は、それぞれ側受部７，８とされている。また、両方の帯板１，２のそれぞれの山折線５に挟まれた部分は、平受部９とされている。
【００１９】
一方の帯板１の折重部６及び側受部７には、谷折線４を軸として対称な位置に長円形の取手穴１０が設けられ、他方の帯板２の側受部８にも、一方の帯板１の折重部６の取手穴１０に対し中折線３を軸として対称な位置に長円形の取手穴１０が設けられている。
【００２０】
これらの取手穴１０の内部には、把持片１１がそれぞれヒンジとなる折目線１２を介して設けられている。折重部６の把持片１１及び側受部８の把持片１１の基部でヒンジとなる折目線１２は、それぞれ用紙の厚さ分だけ間隔が順次大きくなるように、２本ずつ入れられている。
【００２１】
このような集積運搬帯を使用して複数個の段ボール箱を運搬する際には、図２に示すように、一対の帯板１，２を、中折線３に沿って一方の帯板１の折重部６が他方の帯板２の側受部８の裏面に重なるように折り曲げる。
【００２２】
次に、図３に示すように、一方の帯板１を、谷折線４に沿って谷折りすると共に、両方の帯板１，２を、山折線５に沿って山折りすると、側受部７，８及び平受部９が角環状をなし、一方の帯板１の折重部６及び側受部７と他方の帯板２の側受部８とが重なり合い、これらの取手穴１０が一致した状態となる。
【００２３】
このように組み立てた集積運搬帯を、図４に示すように、一方の帯板１を上方とし、他方の帯板２を下方とした状態で、段ボール箱Ｂ１を、順次積み重ねるように帯板１，２の間に挿入する。このとき、段ボール箱Ｂ１は、長面方向を平受部９の長さ方向へ向け、短面方向を平受部９の幅方向へ向ける。
【００２４】
そして、取手穴１０から把持片１１を内側へ押し込むと、一対の側受部７，８と折重部６とが重なり合った状態で固定されるので、その状態で取手穴１０に手を掛け、集積した段ボール箱Ｂ１を持ち上げて運搬する。
【００２５】
この運搬に際し、集積した段ボール箱Ｂ１及びその収納物の荷重が下方となる帯板２の平受部９に作用すると、側受部７，８が段ボール箱Ｂ１を両側から締め付けるので、段ボール箱Ｂ１の落下が防止される。
【００２６】
このように、上記集積運搬帯では、一対の帯板１，２を中折線３、谷折線４及び山折線５に沿って角環状に折り曲げ、段ボール箱Ｂ１を順次積み重ねるように一対の帯板１，２の間に挿入するだけで、運搬準備が完了するので、複数個の段ボール箱Ｂ１を迅速に纏めて容易に運搬できる。
【００２７】
また、取手穴１０を有する折重部６と側受部７，８とが三重構造をなすように重なり合った状態で固定されるので、取手穴１０の周縁部が破れにくく、重量物の運搬に対応することができる。
【００２８】
なお、上記実施形態では、折重部６と側受部７，８の全ての取手穴１０に把持片１１を設けたものを例示したが、把持片１１は、使用時に最も外側となる側受部８の取手穴１０にのみ設けるようにしても、折重部６と側受部７，８とを重なり合った状態で固定することができる。
【００２９】
また、ラップラウンド式の段ボール箱Ｂ１を積み上げて運搬する場合について例示したが、運搬する箱の形式や配列は限定されず、例えば、一般的な溝切型の段ボール箱を横に並べて運搬することもできる。
【符号の説明】
【００３０】
１，２  帯板
３  中折線
４  谷折線
５  山折線
６  折重部
７，８  側受部
９  平受部
１０  取手穴
１１  把持片
１２  折目線
Ｂ１  段ボール箱
【図１】
2015140185.tif 000003
【図２】
2015140185.tif 000004
【図３】
2015140185.tif 000005
【図４】
2015140185.tif 000006
【図５】
2015140185.tif 000007
【図６】
2015140185.tif 000008